(57)【要約】【課題】  放送波や通信路等ネットワークで伝送されるコンテンツを記録及び蓄積し、コンテンツに関連するメタデータ等に従って、コンテンツを再生する場合に、ダイジェストを構成するコンテンツが未蓄積の場合の再生制御の仕組みがなかった。【解決手段】  単一又は複数のコンテンツと、コンテンツに関連する単一及び複数のメタデータを、放送波またはネットワーク経由で配信するコンテンツ配信装置と、前記コンテンツと前記メタデータを受信後、記録及び蓄積する受信装置から構成されるコンテンツ配信システムにおいて、受信再生装置は、コンテンツの蓄積状態に応じて再生方法を変更する情報を記載している前記メタデータの記述内容に基づいて、蓄積されたコンテンツの一部を切り出し、繋げたダイジェスト映像を再生する。【選択図】        図８
2006203272.tif 000002
【特許請求の範囲】
【請求項１】
単一又は複数のコンテンツと、コンテンツに関連する単一及び複数のメタデータを、放送波またはネットワーク経由で配信するコンテンツ配信装置と、前記コンテンツと前記メタデータを受信後、蓄積する受信再生装置から構成されるコンテンツ配信システムの受信再生装置であって、
前記コンテンツを、コンテンツの蓄積状態に応じて再生方法を変更する情報を記載している前記メタデータの記述内容に基づいて、蓄積されたコンテンツの一部を切り出し、繋げたダイジェスト映像を再生することを特徴とする受信再生装置。
【請求項２】
前記メタデータに含まれる、コンテンツの蓄積状態に応じて再生方法を変更する情報を示すダイジェストスキップフラグを読み出して解釈した後に、再生方法を選択するダイジェストスキップフラグ判定手段と、
前記メタデータに含まれる、ダイジェスト映像を構成するシーンを含むリソースの蓄積状態を判定するダイジェスト部分蓄積状態判定手段と、
前記ダイジェストスキップフラグ判定手段の判定結果とダイジェスト部分蓄積状態判定手段によるダイジェスト映像を構成するシーンを含むリソースの蓄積状態によって、ダイジェスト映像の選択肢を表示の可否を判定するダイジェスト提示判定手段と、
前記メタデータを読み出して、コンテンツの各シーンの再生順序を記載したリストを作成する再生リスト作成手段と、
前記ダイジェスト提示判定手段によって再生可能と判断されたダイジェスト映像の一覧を提示するメニュー提示手段と、
コンテンツの蓄積予約が重複していた場合に、予約候補のコンテンツを含むダイジェストに関して、ダイジェストスキップフラグ判定手段の結果に従い、スキップ不可のコンテンツの予約を優先する、予約優先度判定手段
を備えることを特徴とする請求項１に記載の受信再生装置。
【請求項３】
前記メタデータは、
コンテンツの蓄積状態に応じて再生方法を変更する情報であるダイジェストスキップフラグと、
関連するコンテンツのシーンの一部を示す情報と、が単一及び複数個記述されているセグメンテーションメタデータであることを特徴にしており、
前記メタデータを解釈して、ダイジェスト映像を再生する、請求項２に記載の受信再生装置。
【請求項４】
前記ダイジェストスキップフラグがＯＮである場合に、前記メタデータで指定された映像リソースが全て蓄積されていなくても、セグメントを構成する映像リソースが蓄積済みであれば、前記再生リスト作成手段により、当該セグメントを再生リストに追加することを特徴とする、請求項３に記載の受信再生装置。
【請求項５】
前記ダイジェストスキップフラグがＯＦＦである場合に、前記メタデータで指定された映像リソースが全て蓄積されていない場合は、当該ダイジェスト映像をメニューに表示しないことを特徴とし、
またダイジェストスキップフラグがＯＦＦでも、コンテンツの全リソースが蓄積されていないが、ダイジェスト映像に必要なリソースが全て蓄積済みであれば、前記再生リスト作成手段により、当該セグメントを再生リストに追加することを特徴とする、請求項３に記載の受信再生装置。
【請求項６】
前記リソースに含まれる再生開始時刻や再生終了時刻を元に、前記リソースの開始時刻がセグメントの開始時刻よりも小さく、且つ、セグメントの終了時刻が前記リソースの終了時刻よりも小さいことを満たしていることを判定する判定手段を備えたことを特徴とする前記ダイジェストスキップフラグ判定手段を備えた、請求項３に記載の受信再生装置。
【請求項７】
リソースの蓄積状態に応じて、表示させるダイジェスト映像の構成を、ダイジェストスキップフラグを備えたセグメントグループリストと、セグメントリストを用いて、再生リストを生成し、再生する、請求項３に記載の受信再生装置。
【請求項８】
リソースの蓄積状態に応じて、表示させるダイジェスト映像の構成を、ダイジェストスキップフラグを備えたセグメントリストと、セグメントグループリストを用いて、再生リストを生成し、再生する、請求項３に記載の受信再生装置。
【請求項９】
リソースの蓄積状態に応じて、表示させるダイジェスト映像の構成を、ダイジェストスキップフラグが同じ種類のセグメントリストと、セグメントグループリストを用いて、再生リストを生成し、再生する、請求項７に記載の受信再生装置。
【請求項１０】
リソースの蓄積状態に応じて、表示させるダイジェスト映像の構成を、ダイジェストスキップフラグが異なる種類のセグメントリストと、セグメントグループリストを用いて、再生リストを生成し、再生する、請求項８に記載の受信再生装置。
【発明の詳細な説明】
【技術分野】
【０００１】
本発明は、放送波や通信路等ネットワークで伝送されるコンテンツを記録及び蓄積し、前記コンテンツに関連するメタデータ等に従って、コンテンツ内の一部のシーンを切り出し、繋げて再生する受信再生装置に関する。
【背景技術】
【０００２】
現在、放送波のコンテンツを記録し、メタデータに基づいてユーザの好むシーンのみを選択して再生する「ダイジェスト再生」の運用が検討されている。
【０００３】
ダイジェスト再生で使用されるメタデータには、番組内のある１つのシーンが連続する部分であるセグメントに対して、セグメント毎に開始時刻及び継続時間等の情報を記述されているセグメンテーションメタデータがある。
【０００４】
特許文献１では、セグメンテーションメタデータをコンテンツと共に伝送し、受信機でダイジェスト再生を可能にしている。
【０００５】
特許文献２では、蓄積済コンテンツの状態に応じて再生を制御する情報をコンテンツと共に伝送することで、複数のコンテンツを連携させた情報提示のバリエーションを多様化することを可能にしている。
【特許文献１】特開２００３−１４３５５８号公報
【特許文献２】特開２００２−５１０２０号公報
【発明の開示】
【発明が解決しようとする課題】
【０００６】
しかしながら、上記特許文献１のダイジェスト提示装置では、前記コンテンツが受信機内に存在しない場合におけるダイジェスト再生方法については考慮されていない。
【０００７】
また前記コンテンツのダイジェスト再生をする場合に、前記コンテンツ全体が受信機内に存在するのではなく、一部でも受信後、蓄積されている場合のダイジェスト再生方法に関しても考慮されていない。
【０００８】
上記特許文献２の蓄積放送システムでは、コンテンツを構成する複数のリソースが蓄積されていない場合に、未蓄積のコンテンツを除いた状態で、蓄積済のリソースのみで構成されるコンテンツを提示することを可能にしているが、本来コンテンツ提供者側で意図した形式での提示を実現できていない。
【０００９】
ダイジェスト映像は、コンテンツの各セグメントを繋げて再生するパターン（パターン１）と、各セグメントをストーリー性のあるもので構成してダイジェスト再生を行うパターン（パターン２）が考えられる。
【００１０】
仮に前記コンテンツの一部しか蓄積されていない場合においても、コンテンツ提供者としては、上記パターン１、パターン２において、ユーザに対して、ダイジェスト映像を提供したい要求が考えられる。
【００１１】
このとき、パターン１においては、セグメントの一部が蓄積されていない場合に、コンテンツ提供者は、可能な限り蓄積されたコンテンツにあるセグメントを使用して、ユーザにダイジェスト映像を提供したいが、コンテンツ提供者側で用意した再生順序を記載したシナリオ通りにダイジェスト再生できない課題が生じる。
【００１２】
一方、パターン２においては、セグメントの一部が蓄積されていない場合に、蓄積済みコンテンツのセグメントを利用して、ユーザにダイジェスト映像を提供しようとしたとしても、本来コンテンツ提供者側で想定しているダイジェスト映像が、ストーリー性や連続性のあるものである場合に、ダイジェスト映像自体が意味をなさないものになってしまう課題が生じる。
【課題を解決するための手段】
【００１３】
本発明は、上記課題を解決するために、単一又は複数のコンテンツと、コンテンツに関連する単一及び複数のメタデータを、放送波またはネットワーク経由で配信するコンテンツ配信装置と、前記コンテンツと前記メタデータを受信後、蓄積する受信装置から構成されるコンテンツ配信システムおいて、前記コンテンツを、コンテンツの蓄積状態に応じて再生方法を変更する情報を記載している前記メタデータの記述内容に基づいて、蓄積されたコンテンツの一部を切り出し、繋げたダイジェスト映像を再生することを特徴とする受信再生装置を提供する。
【００１４】
本発明の一実施態様において、前述の受信再生装置は、前記メタデータに含まれる、コンテンツの蓄積状態に応じて再生方法を変更する情報を示すダイジェストスキップフラグを読み出して解釈した後に、再生方法を選択するダイジェストスキップフラグ判定手段と、前記メタデータに含まれる、ダイジェスト映像を構成するシーンを含むリソースの蓄積状態を判定するダイジェスト部分蓄積状態判定手段と、前記ダイジェストスキップフラグ判定手段の判定結果とダイジェスト部分蓄積状態判定手段によるダイジェスト映像を構成するシーンを含むリソースの蓄積状態によって、ダイジェスト映像の選択肢を表示の可否を判定するダイジェスト提示判定手段と、前記メタデータを読み出して、コンテンツの各シーンの再生順序を記載したリストを作成する再生リスト作成手段と、前記ダイジェスト提示判定手段によって再生可能と判断されたダイジェスト映像の一覧を提示するメニュー提示手段と、コンテンツの蓄積予約が重複していた場合に、予約候補のコンテンツを含むダイジェストに関して、ダイジェストスキップフラグ判定手段の結果に従い、スキップ不可のコンテンツの予約を優先する、予約優先度判定手段、を備えることを特徴とする。
【００１５】
本発明の一実施態様において、前記メタデータは、コンテンツの蓄積状態に応じて再生方法を変更する情報であるダイジェストスキップフラグと、関連するコンテンツのシーンの一部を示す情報と、が単一及び複数個記述されているセグメンテーションメタデータであることを特徴にしており、前記メタデータを解釈して、ダイジェスト映像を再生する。
【００１６】
本発明の一実施態様において、前記ダイジェストスキップフラグがＯＮである場合に、前記メタデータで指定された映像リソースが全て蓄積されていなくても、セグメントを構成する映像リソースが蓄積済みであれば、前記再生リスト作成手段により、当該セグメントを再生リストに追加することを特徴とする。
【００１７】
本発明のさらなる別の一実施態様において、前記ダイジェストスキップフラグがＯＦＦである場合に、前記メタデータで指定された映像リソースが全て蓄積されていない場合は、当該ダイジェスト映像をメニューに表示しないことを特徴とし、またダイジェストスキップフラグがＯＦＦでも、コンテンツの全リソースが蓄積されていないが、ダイジェスト映像に必要なリソースが全て蓄積済みであれば、前記再生リスト作成手段により、当該セグメントを再生リストに追加することを特徴とする。
【００１８】
本発明の一実施態様において、前述の受信再生装置はさらに、前記リソースに含まれる再生開始時刻や再生終了時刻を元に、前記リソースの開始時刻がセグメントの開始時刻よりも小さく、且つ、セグメントの終了時刻が前記リソースの終了時刻よりも小さいことを満たしていることを判定する判定手段を備えたことを特徴とする前記ダイジェストスキップフラグ判定手段を備えることを特徴とする。
【００１９】
本発明の一実施態様において、リソースの蓄積状態に応じて、表示させるダイジェスト映像の構成を、ダイジェストスキップフラグを備えたセグメントグループリストと、セグメントリストを用いて、再生リストを生成し、再生する。
【００２０】
本発明の一実施態様において、リソースの蓄積状態に応じて、表示させるダイジェスト映像の構成を、ダイジェストスキップフラグを備えたセグメントリストと、セグメントグループリストを用いて、再生リストを生成し、再生する。
【００２１】
本発明の一実施態様において、リソースの蓄積状態に応じて、表示させるダイジェスト映像の構成を、ダイジェストスキップフラグが同じ種類のセグメントリストと、セグメントグループリストを用いて、再生リストを生成し、再生する。
【００２２】
本発明の一実施態様において、リソースの蓄積状態に応じて、表示させるダイジェスト映像の構成を、ダイジェストスキップフラグが異なる種類のセグメントリストと、セグメントグループリストを用いて、再生リストを生成し、再生する。
【００２３】
前記の従来における課題を解決する為に、本発明は、前記メタデータに含まれる、コンテンツの蓄積状態に応じて再生方法を変更する情報を示すダイジェストスキップフラグを読み出して解釈した後に、再生方法を選択するダイジェストスキップフラグ判定手段と、前記メタデータに含まれる、ダイジェスト映像を構成するシーンを含むリソースの蓄積状態を判定するダイジェスト部分蓄積状態判定手段と、前記ダイジェストスキップフラグ判定手段の判定結果とダイジェスト部分蓄積状態判定手段によるダイジェスト映像を構成するシーンを含むリソースの蓄積状態によって、ダイジェスト映像の選択肢を表示の可否を判定するダイジェスト提示判定手段と、前記メタデータを読み出して、コンテンツの各シーンの再生順序を記載したリストを作成する再生リスト作成手段と、前記ダイジェスト提示判定手段によって再生可能と判断されたダイジェスト映像の一覧を提示するメニュー提示手段と、コンテンツの蓄積予約が重複していた場合に、予約候補のコンテンツを含むダイジェストに関して、ダイジェストスキップフラグ判定手段の結果に従い、スキップ不可のコンテンツの予約を優先する、予約優先度判定手段から構成されることを特徴にする受信再生装置により、ダイジェスト一覧表示時には、ダイジェストスキップ可能フラグ判別手段において、当該セグメントがスキップ可能かを判定し、可能である場合は、ダイジェストを構成するリソースが揃っていなくてもダイジェスト一覧にダイジェストに関する情報を提示する。
【００２４】
一方、ダイジェストスキップ可能フラグの判別手段において、判定結果が不可の場合、ダイジェストを構成するリソースがそろっていない場合、情報提示をしない。
【００２５】
ダイジェスト再生時には、メタデータから再生リストを作成し、リストに従い再生するが、スキップ可能のダイジェストの場合、メタデータの記載順の各シーンが蓄積されているかを調べ、蓄積かつ視聴可能（購入済）のものだけを順番につないで再生順リストを作成する。一方スキップ不可のダイジェストの場合、シーンが蓄積されていない場合や、視聴不可の場合、再生をさせない。
【００２６】
本発明はまた、単一又は複数のコンテンツと、コンテンツに関連する単一及び複数のメタデータを、放送波またはネットワーク経由で配信するコンテンツ配信装置と、前記コンテンツと前記メタデータを受信後、蓄積する受信装置と、を備えるコンテンツ配信システムおいて使用される受信再生方法であって、前記コンテンツを、コンテンツの蓄積状態に応じて再生方法を変更する情報を記載している前記メタデータの記述内容に基づいて、蓄積されたコンテンツの一部を切り出し、繋げたダイジェスト映像を再生することを特徴とする受信再生方法を提供し、前記メタデータに含まれる、コンテンツの蓄積状態に応じて再生方法を変更する情報を示すダイジェストスキップフラグを読み出して解釈した後に、再生方法を選択するダイジェストスキップフラグ判定ステップと、前記メタデータに含まれる、ダイジェスト映像を構成するシーンを含むリソースの蓄積状態を判定するダイジェスト部分蓄積状態判定ステップと、前記ダイジェストスキップフラグ判定手段の判定結果とダイジェスト部分蓄積状態判定手段によるダイジェスト映像を構成するシーンを含むリソースの蓄積状態によって、ダイジェスト映像の選択肢を表示の可否を判定するダイジェスト提示判定ステップと、前記メタデータを読み出して、コンテンツの各シーンの再生順序を記載したリストを作成する再生リスト作成ステップと、前記ダイジェスト提示判定手段によって再生可能と判断されたダイジェスト映像の一覧を提示するメニュー提示ステップと、コンテンツの蓄積予約が重複していた場合に、予約候補のコンテンツを含むダイジェストに関して、ダイジェストスキップフラグ判定手段の結果に従い、スキップ不可のコンテンツの予約を優先する、予約優先度判定ステップと、を備えることを特徴とする。
【００２７】
本発明は、上述の受信再生方法をコンピュータに実行させるためのプログラム、およびこれを記録した記録媒体を包含する。
【発明の効果】
【００２８】
従来技術では、ダイジェスト映像を構成するコンテンツが未蓄積の場合において、再生を制御する仕組みがないため、ダイジェスト映像の内容に関係なく、受信再生装置の仕様として、再生を失敗させたりする等、一通りの再生制御しかできなかった。
【００２９】
しかしながら本発明では、一部の映像リソースが欠落したダイジェスト再生サービスにおいて、コンテンツ提供者側の意図に即して、最低限有効な視聴を可能にし、視聴可能範囲を広げることが可能となる。またダイジェスト映像の内容によっては、映像リソースが欠けてはいけない場合には、ダイジェスト映像の提示を不可にできるため、視聴者に不快感を与えない。
【００３０】
本発明は、以下の実施の形態および添付の図面を用いて説明されるが、これは例示を目的としており、本発明はこれらに限定されることを意図しない。
【発明を実施するための最良の形態】
【００３１】
以下本発明の実施の形態について、図面を参照しながら説明する。
（実施の形態１）
以下、本発明の実施の形態を、図面を参照しながら説明する。
【００３２】
本実施例の説明では、配信されるコンテンツに関連するメタデータは、既に蓄積されているものとする。
【００３３】
なお、メタデータが蓄積されていない場合においても、必要なメタデータを通信ネットワーク経由にて、別途取得してもよい。
【００３４】
また必要なメタデータは放送経由で別途蓄積してもよい。
なお、本実施例では、放送波で伝送するコンテンツの形式として、ＭＰＥＧ２（Ｍｏｖｉｎｇ  Ｐｉｃｔｕｒｅ  Ｅｘｐｅｒｔｓ  Ｇｒｏｕｐ−２：ＩＳＯ／ＩＥＣ１３８１８）で規定されているＴＳ（Ｔｒａｎｓｐｏｒｔ  Ｓｔｒｅａｍ）を例に説明するが、伝送ストリームの形式はＭＰＥＧ２に限るものではない。
【００３５】
図１は本発明の全体構成図を示している。
本受信再生装置は、放送波または通信路等のネットワーク経由で配信されるコンテンツを、受信再生装置１０４で蓄積し、蓄積済みコンテンツのダイジェスト映像を再生する場合に、前記配信コンテンツと関連するダイジェスト映像を生成するために必要なリソースの蓄積状態に応じて再生方法を変更するメタデータに基づいて、蓄積されたコンテンツの一部を切り出し、繋げたダイジェスト映像を再生する。
【００３６】
図２は、本実施例で配信されるメタデータの一実施例である。前記メタデータは、コンテンツが意味を成すあるシーンであるセグメントに対して、各セグメントの開始時刻と、セグメントの再生時間を表す間隔情報が記載されているセグメントリスト２０１と、ダイジェスト再生されるパターン毎に各セグメントを纏めたセグメントグループリスト２０２からなり、前記セグメントグループリスト２０２には、ダイジェストスキップフラグが各グループに対して記述されている。
【００３７】
セグメントリスト２０１は、蓄積済みコンテンツや配信されるコンテンツ内にある、セグメント毎に、開始時刻と開始時刻から表示再生可能な時間間隔を定義している。
【００３８】
なお、本実施例では、間隔を記載しているが、各セグメントの終了時刻を記載してもよい。
【００３９】
また、各セグメントの開始時刻と時間間隔は、受信再生装置が保持する基準時刻からの相対時刻を記載しても良い。
【００４０】
セグメントグループリスト２０２は、ダイジェスト映像を構成するために必要なセグメントの集合を記載している。
【００４１】
またセグメントグループ毎に、コンテンツ内のセグメントの蓄積状態によって、提示方法を変更するダイジェストスキップフラグを記載している。
【００４２】
ダイジェストスキップフラグは、各セグメントグループ毎にＯＮかＯＦＦの状態を設定可能である。
【００４３】
図３は、前記のセグメントリスト２０１、２０２に基づいてダイジェスト再生される蓄積済コンテンツの一例である。
【００４４】
なお、本実施例では、コンテンツ３０１は、前記セグメントリスト２０１とセグメントグループリスト２０２と対応した状態で記載している。
【００４５】
ここでコンテンツ３０１の構成を説明する。タイトルが昆虫図鑑、時間は６０分で内容は、前半３０分が「カブトムシの一生」、後半３０分が「クワガタの一生」である。
【００４６】
カブトムシの一生では、幼虫シーンＳ１、さなぎシーンＳ２、成虫シーンＳ３のセグメントが含まれ、クワガタの一生では、幼虫シーンＳ４、さなぎシーンＳ５、成虫シーンＳ６のセグメントがコンテンツ内に含まれている。
【００４７】
図４は、前記のセグメントリスト２０１、２０２に基づいてダイジェスト再生される未蓄積のコンテンツの一例である。
【００４８】
なお、本実施例では、コンテンツ３０１は、前記セグメントリスト２０１とセグメントグループリスト２０２と対応した状態で記載している。
【００４９】
ここでコンテンツ４０１の構成を説明する。タイトル、時間、内容はコンテンツ３０１と同様である。
【００５０】
但し、コンテンツ４０１は１３：００〜３８：００までの部分が未蓄積であるため、カブトムシの一生のうち、成虫シーンＳ３のセグメントが、またクワガタの一生では、幼虫シーンＳ４のセグメントがコンテンツ内に含まれていない。
【００５１】
図５は本実施の形態のデータ記録再生装置の構成を表す。
データ受信部５０１は放送波から、映像音声や時刻情報を含むコンテンツを受信し、前記コンテンツを蓄積部５０２に蓄積する。
【００５２】
なお前記配信コンテンツは、通信ネットワークを利用して、受信、蓄積してもよい。
ダイジェストスキップフラグ判定部５０３は、メタデータのセグメントグループリスト２０２からダイジェストスキップフラグを読み出し解釈する。
【００５３】
ダイジェスト部分蓄積状態判定部５０４は、メタデータのセグメントリスト２０１からダイジェスト映像を構成するセグメントが蓄積されているかを判定する。
【００５４】
ダイジェスト提示判定部５０５は、前記ダイジェストスキップフラグ判定部５０３の判定結果とダイジェスト部分蓄積状態判定部５０４によるダイジェスト映像を構成するシーンを含むリソースの蓄積状態によって、ダイジェスト映像の選択肢を表示の可否を判定する。
【００５５】
再生リスト作成部５０６は、前記メタデータを読み出して、コンテンツの各シーンの再生順序を記載したリストを作成する。
【００５６】
前記再生リスト生成部５０６において、メタデータの内容からシーンの再生順のリストを作成するが、ダイジェスト部分蓄積状態判定部５０４において当該シーンが蓄積されているかを判定し、判定結果に応じて、再生順リストの表示を変更する。
【００５７】
再生リスト作成部５０６において、セグメントを構成するリソースが蓄積済であり、且つライセンス購入処理等が終了し、視聴可能な状態の場合、当該シーンの情報を再生順リストに書込む。
【００５８】
再生リスト作成部５０６において、当該シーンが未蓄積である場合、スキップフラグがＯＮであれば当該シーンを再生順リストに含めず、次のシーンの判定に進み、スキップフラグＯＦＦであれば当該ダイジェストの再生を許可しない。
【００５９】
メタデータ処理部５０７は、前記ダイジェスト提示判定部５０５の結果と再生リスト作成部５０６にて、ダイジェスト映像を生成するためのメタデータの処理を行う。
【００６０】
メニュー提示部５０８は、前記ダイジェスト提示判定部５０５によって再生可能と判断されたダイジェスト映像の一覧を提示する。
【００６１】
コンテンツ再生部５０９は、前記メニュー提示部５０８にて提示されたダイジェスト映像のうち、ユーザによる再生指示を受付けたものを、蓄積部５０２から読み出す。
【００６２】
予約優先度判定部５１０は、コンテンツの蓄積予約が重複していた場合に、予約候補のコンテンツを含むダイジェストに関して、ダイジェストスキップフラグ判定部５０３の結果に従い、スキップ不可のコンテンツの予約を優先する。
【００６３】
図６は、ダイジェストスキップフラグ判定処理のシーケンスである。
ここで、前記コンテンツ３０１、４０１において、セグメントリスト２０１、セグメントグループリスト２０２を用いてダイジェスト映像の生成する方法を図６のシーケンスを用いて説明する。
【００６４】
最初にコンテンツ３０１を用いて説明を行う。
図５の受信再生装置は、ユーザからのダイジェスト再生要求を受け付けた場合に、まず、ステップ６０１で、ダイジェスト再生で必要なメタデータを読み出す。本実施例では、セグメントグループリスト２０２が当該メタデータにあたる。
【００６５】
セグメントグループリスト２０２にはグループ１からグループ６までのダイジェストが記載されており、各グループに対して、ダイジェストスキップフラグが設定済みである。
【００６６】
ここで、グループ４のダイジェストＳ１＋Ｓ４に対しての処理シーケンスを説明する。
ステップ６０２でダイジェストスキップフラグの判定を行い、「ＯＮ」であるため、ステップ６０３に進む。
【００６７】
ダイジェストスキップフラグが「ＯＦＦ」の場合、本実施例におけるコンテンツ３０１はステップ６０３では、グループ４のセグメントを構成するリソースが蓄積済かをチェックする。
【００６８】
コンテンツ３０１は蓄積済コンテンツであり、グループ４のセグメントＳ１とＳ４が蓄積されていることを、セグメントリスト２０１から、開始時刻と間隔を元に、チェックを行う。
【００６９】
ステップ６０４では、当該セグメントを再生リストに追加する。本実施例では、Ｓ１、Ｓ４で追加する。
【００７０】
ステップ６０５では、同様に、グループ４以外のグループ１、２、３、５、６に対して、ステップ６０１からステップ６０４の処理を行う。
【００７１】
全て読み出した場合は、ステップ６０７において、再生順リストに従い、ダイジェスト映像を生成及び再生を行う。
【００７２】
本実施例では、グループ４におけるダイジェスト映像は、Ｓ１はカブトムシの幼虫シーン、Ｓ４はクワガタの幼虫シーンであり、生成されたダイジェスト映像は、昆虫図鑑のさなぎシーンダイジェストになる。前記グループ４における幼虫シーンのダイジェストを３０２に示す。
【００７３】
なお、ダイジェストスキップフラグが「ＯＦＦ」の場合、本実施例におけるコンテンツ３０１は、蓄積済であることからステップ６０４に進む。
【００７４】
この場合、グループ１ではグループ４と同様のシーケンス処理を行い、カブトムシの幼虫シーンＳ１＋さなぎシーンＳ２＋成虫シーンＳ３が生成される。前記グループ１におけるカブトムシの一生のダイジェストを３０２に示す。
【００７５】
次にコンテンツ４０１を用いて説明を行う。
図５の受信再生装置は、ユーザからのダイジェスト再生要求を受け付けた場合に、まず、ステップ６０１で、ダイジェスト再生で必要なメタデータを読み出す。本実施例では、セグメントグループリスト２０２が当該メタデータにあたる。
【００７６】
セグメントグループリスト２０２にはグループ１からグループ６までのダイジェストが記載されており、各グループに対して、ダイジェストスキップフラグが設定済みである。
【００７７】
ここで、グループ４のダイジェストＳ１＋Ｓ４に対しての処理シーケンスを説明する。
ステップ６０２でダイジェストスキップフラグの判定を行い、「ＯＮ」であるため、ステップ６０３に進む。
【００７８】
コンテンツ４０１は未蓄積部分を含むコンテンツであり、グループ４のセグメントＳ１は蓄積済であるが、Ｓ４は未蓄積である。
【００７９】
蓄積状態を判定するために、セグメントリスト２０１から、開始時刻と間隔を元に、チェックを行う。
【００８０】
ステップ６０４では、当該セグメントを再生リストに追加する。本実施例では、Ｓ１のみを追加する。
【００８１】
ステップ６０５では、同様に、グループ４以外のグループ１、２、３、５、６に対して、ステップ６０１からステップ６０４の処理を行う。
【００８２】
全て読み出した場合は、ステップ６０７において、再生順リストに従い、ダイジェスト映像を生成及び再生を行う。
【００８３】
本実施例では、グループ４におけるダイジェスト映像は、Ｓ１はカブトムシの幼虫シーン、Ｓ４はクワガタの幼虫シーンであり、生成されたダイジェスト映像は、蓄積済のＳ１のみの幼虫シーンダイジェストになる。前記グループ４における幼虫シーンのダイジェストを４０２に示す。
【００８４】
グループ４のダイジェストは、本来ならば幼虫シーンのみで構成されるため、ダイジェスト映像のストーリーや連続性に関係ないため、ダイジェストスキップフラグをＯＮにすることで、当該ダイジェスト映像のうち、蓄積済のリソースで構成されるセグメントがあれば、提示可能としている。
【００８５】
なお、ダイジェストスキップフラグが「ＯＦＦ」の場合、本実施例におけるコンテンツ４０１は、ステップ６０６にて、未蓄積部分を含むコンテンツを判定し、ステップ６０８で再生を禁止する。
【００８６】
この場合は、ダイジェストスキップフラグがＯＦＦであるグループ１、２，３が該当する。蓄積されていないリソースが存在するため、グループ１を例にとり、説明をすると、本来ならば、カブトムシの幼虫シーンＳ１＋さなぎシーンＳ２＋成虫シーンＳ３が生成されるべきである。
【００８７】
しかしながらコンテンツ４０１では、成虫シーンＳ３が未蓄積であるため、前記グループ１におけるカブトムシの一生のダイジェストとして、コンテンツ提供者側の意図したストーリーや連続性を提示できないため、Ｓ１、Ｓ２が蓄積されていたとしても、メニュー提示部には、ダイジェスト映像の選択肢を表示させないようにする。
【００８８】
なお、グループ２においても同様に、本来ならばＳ４＋Ｓ５＋Ｓ６でクワガタの幼虫〜さなぎ〜成虫シーンのダイジェスト映像を提供することが可能であるが、グループ４はダイジェストスキップフラグがＯＦＦであり、Ｓ４が未蓄積であるため、グループ２のダイジェストは提示不可になる。
【００８９】
また、グループ３においても同様に、本来ならばＳ１＋Ｓ２＋Ｓ３＋Ｓ４＋Ｓ５＋Ｓ６でカブトムシの幼虫〜さなぎ〜成虫シーン＋クワガタの幼虫〜さなぎ〜成虫シーンのダイジェスト映像を提供することが可能であるが、グループ３はダイジェストスキップフラグがＯＦＦであり、Ｓ３とＳ４が未蓄積であるため、グループ３のダイジェストは提示されない。
（実施の形態２）
前記実施例１では、１コンテンツに対して、１メタデータを対応させた場合の実施例を説明しているが、複数のコンテンツに対して、複数のメタデータを対応させて実施することも可能である。
【００９０】
例えば、野球コンテンツが３試合分あり、チームＡの選手Ａの打席結果毎にメタデータを用意して、ダイジェスト映像を生成することも可能である。「ヒット」「ホームラン」「三振」でダイジェストスキップフラグを記載したメタデータを用意するダイジェスト再生方法も実現可能である。
【００９１】
以下、本実施例の実施の形態を、図面を参照しながら説明する。
本実施例の説明では、配信されるコンテンツに関連するメタデータは、既に蓄積されているものとする。
【００９２】
なお、メタデータが蓄積されていない場合においても、必要なメタデータを通信ネットワーク経由にて、別途取得してもよい。
【００９３】
また必要なメタデータは放送経由で別途蓄積してもよい。
図５の４０３、４０４、４０５は、野球コンテンツである。前記野球コンテンツは、チームＡとチームＢが対戦し、受信機には、既に９月１日から９月３日までの３日分の野球コンテンツが蓄積されている。
【００９４】
なお、野球コンテンツ４０４のＡ選手の第１打席と第２打席の結果が蓄積されていない。
【００９５】
図６は、前記野球コンテンツ内のＡ選手の打席に関するメタデータである。
前記メタデータには、Ａ選手のダイジェスト映像を再生するためのセグメントリスト４６１と、再生されるダイジェストを構成するセグメントを示すセグメントグループリスト４６２が含まれる。
【００９６】
前記セグメントリスト４６１には、Ａ選手の打席の再生時刻を表す時間情報と、各打席を受信機が識別するための識別子、及び打席の結果が記載される。前記セグメントグループリスト４６２は、ダイジェスト映像を識別するためのグループ識別子、ダイジェスト映像がどのセグメントで構成されるかを示すグループ、及びダイジェストスキップフラグが記載される。
【００９７】
図１５は、ユーザが蓄積済コンテンツリスト一覧から野球コンテンツを選択後、表示される画面の一例である。
【００９８】
４２０の野球コンテンツ一覧画面の構成は、野球コンテンツに関する説明情報と、野球コンテンツのサムネイル画像が表示されており、ユーザは通常再生もしくはダイジェスト再生の再生方法を選択可能である。
【００９９】
ここでは再生方法として、ダイジェストを選択した場合の実施例を以下に記載する。図８は、ダイジェストスキップフラグ判定処理のシーケンス図である。
【０１００】
図７（ａ）の野球コンテンツ一覧画面４２０において、ユーザが再生方法としてダイジェストを選択した場合、受信端末は、ステップ６０１にて、４６２のセグメントグループリストの先頭から読み出す。
【０１０１】
ステップ６０２では、最初にグループ識別子Ｇ１で分類されるセグメントグループのダイジェストスキップフラグのチェックを行う。ダイジェストスキップフラグがＯＮの場合は、ステップ６０３へ進み、ダイジェストスキップフラグがＯＦＦの場合は、ステップ６０６へ進む。
【０１０２】
本実施例では、ダイジェストスキップフラグがＯＮであるため、ステップ６０３に進み、当該セグメントが蓄積済かの判定を行う。
【０１０３】
このとき、受信端末では、前記ステップ６０２で判定対象となったグループＧ１がどのセグメントリストで構成されているかを、セグメントグループリスト４６２のグループ情報により認識しているため、セグメントリスト４６１を参照して、グループＧ１を構成するセグメントＳ１〜Ｓ７のセグメントが蓄積済かどうかを順次判定していく。
【０１０４】
セグメントリスト４６１の識別子Ｓ３、Ｓ４に関しては、未蓄積部分であるため、蓄積されないが、それ以外のＳ１，Ｓ２，Ｓ５，Ｓ６，Ｓ７のセグメントに関しては蓄積済みであるため、ステップ６０４にて当該セグメントを再生順リストに追加していく。
【０１０５】
ステップ６０５では、まだ、セグメントグループリストに記載のグループＧ２，Ｇ３に関して再生順リストを生成していないため、ステップ６０１に戻る。
【０１０６】
セグメントグループリスト４６２のグループ３に関しては、ステップ６０２で、ダイジェストスキップフラグがＯＦＦであるため、ステップ６０６に進み、セグメントリスト内のＳ２、Ｓ７が蓄積されているかをチェックし、両方とも蓄積しているため、当該セグメントを再生順リストに追加する。
【０１０７】
セグメントグループリスト４６２のグループ２に関しては、ステップ６０２で、ダイジェストスキップフラグがＯＦＦであるため、ステップ６０６に進み、セグメントリスト内のＳ２、Ｓ３，Ｓ５，Ｓ７が蓄積されているかをチェックするが、Ｓ３が蓄積していないため、ステップ６０８に進み、再生順リストは作成されない。
【０１０８】
図７（ａ）及び（ｂ）は、ダイジェスト映像再生リストの画面例である。ステップ６０５で、セグメントグループリスト４６５とセグメントリスト４６１に記載されているセグメンテーションメタデータを読み出したあと、作成した再生順リストを元に、図７（ｂ）のダイジェスト一覧画面４３０を外部出力装置に提示させる。このとき、グループ２のダイジェスト映像の再生リストは生成されていないため、画面上ボタン４３２のＡ選手の打席（ヒット）のボタンは網掛け表示になり、ユーザに対して選択が不可であることを明示的に表示する。なお、選択が不可であることをユーザに対して示す場合、ボタンを非表示にしても良い。また、ユーザに対して「Ａ選手の打席（ヒット）」に関しては、ダイジェスト映像が存在しないことを示すメッセージを表示しても良い。
（実施の形態３）
本実施例では、一セグメントを表すメタデータに対してダイジェストスキップフラグを付与する場合の例を説明する。
【０１０９】
例えば、野球コンテンツが３試合分あり、チームＡの選手Ａの打席結果毎にメタデータを用意して、ダイジェスト映像を生成することも可能である。
【０１１０】
以下、本実施例の実施の形態を、図面を参照しながら説明する。
本実施例の説明では、配信されるコンテンツに関連するメタデータは、既に蓄積されているものとする。
【０１１１】
なお、メタデータが蓄積されていない場合においても、必要なメタデータを通信ネットワーク経由にて、別途取得してもよい。
【０１１２】
また必要なメタデータは放送経由で別途蓄積してもよい。
図５は、野球コンテンツである。前記野球コンテンツは、チームＡとチームＢが対戦し、受信機には、既に９月１日から９月３日までの３日分の野球コンテンツが蓄積されている。
【０１１３】
図１４の受信再生装置は、ユーザからのダイジェスト再生要求を受け付けた場合に、まず、ステップ６０１で、ダイジェスト再生で必要なメタデータを読み出す。
【０１１４】
図９〜図１１（ａ）、（ｂ）及び（ｃ）は、セグメントメタデータの例である。の４１１〜４１７は、Ａ選手の打席毎のセグメントメタデータである。
【０１１５】
各セグメントメタデータは、コンテンツ内のどの部分を再生するかを識別する識別子と、各セグメントの開始時刻と終了時刻を示す時間情報と、蓄積状態に応じてダイジェスト再生するか否かを決定するための情報であるダイジェストスキップフラグと、Ａ選手の各打席の結果が記載されている。
【０１１６】
また、本実施例では、Ａ選手の打席メタデータ４０６、Ａ選手の打席（ヒット）セグメンテーションメタデータ４０７、Ａ選手の打席セグメンテーションメタデータ４０８のような、Ａ選手の打席結果に基づいたセグメントグループのメタデータを読み出す場合でもよい。
【０１１７】
なお、ここでは、セグメンテーションメタデータ４０９、４１０が未蓄積の場合を例にとり説明を行う。
【０１１８】
ステップ６０２では、受信再生装置は、各セグメンテーションメタデータのダイジェストスキップフラグを読み出し、フラグがＯＮの場合は、ステップ６０３に進む。またフラグがＯＦＦの場合は、ステップ６０６に進む。
【０１１９】
ステップ６０３では、前記ステップ６０２にて読み出されたフラグＯＮのセグメンテーションメタデータのうち、時間情報に記載されている映像リソースが、蓄積済みかを確認する。
【０１２０】
蓄積済みの場合は、ステップ６０４に進む。蓄積されていない場合は、ステップ６０５に進む。
【０１２１】
本実施例では、図９に記載のセグメンテーションメタデータ４０７、４１０、４１２を解釈し、４１０に記載の「９月２日  チームＢ戦  第２打席目  三振」の映像リソースが蓄積されていないことがステップ６０３では判別済みとなる。
【０１２２】
ステップ６０６では、前記ステップ６０２で読み出されたフラグＯＦＦのセグメンテーションメタデータのうち、時間情報に記載されている映像リソースが、蓄積済みかを確認する。
【０１２３】
蓄積済みの場合は、ステップ６０４に進む。蓄積されていない場合は、ステップ６０８に進む。
【０１２４】
本実施例では、図９に記載のセグメンテーションメタデータ４０８、４０９、４１１、４１３を解釈し、４０９に記載の「９月２日  チームＢ戦  第１打席  ヒット」の映像リソースが蓄積されていないことが、ステップ６０６で判別済みとなる。
【０１２５】
ステップ６０４では、映像リソースが蓄積済であるセグメンテーションメタデータを、繋げ、再生順リストに追加する。
【０１２６】
ステップ６０５は、全てのセグメンテーションメタデータを読み出したかを確認するステップであり、まだ読み出していないセグメンテーションメタデータが存在した場合は、ステップ６０１に戻り、再度ステップ６０１から上述の一連の処理を実施する。
【０１２７】
全てのセグメンテーションメタデータを読み出した場合は、表示メニューに作成した再生順リストに基づいたダイジェスト映像の項目を表示する。
【０１２８】
本実施例において、前記ステップ６０６の結果により、前記４０８、４１１、４１３の映像リソースは、蓄積済であることから、前記ステップ６０２でダイジェストスキップフラグがＯＮのセグメンテーションメタデータに追加して、Ａ選手の全打席のダイジェスト再生順リストを作成済である。
【０１２９】
図１０は、Ａ選手の全打席のダイジェスト再生リストを４１４に示す図である。
また図７の４３０は、ダイジェスト一覧の画面表示例である。
【０１３０】
ステップ６０９では、ユーザが視聴したいダイジェスト映像へのリンクを選択し、４３１の「Ａ選手の全打席」ボタンを選択すると、前記ダイジェスト再生リスト４１４に基づき、映像が再生される。
【０１３１】
次に４３２の「Ａ選手の打席（ヒット）」の再生順リストを作成するまでの手順を示す。
【０１３２】
なお、図９のセグメンテーションメタデータ４０９、４１０に記載されている映像リソースが蓄積されていないものとしている。
【０１３３】
ステップ６０２では、受信再生装置は、各セグメンテーションメタデータのダイジェストスキップフラグを読み出し、フラグがＯＮの場合は、ステップ６０３に進む。またフラグがＯＦＦの場合は、ステップ６０６に進む。
【０１３４】
ステップ６０３では、前記ステップ６０２にて読み出されたフラグＯＮのセグメンテーションメタデータのうち、時間情報に記載されている映像リソースが、蓄積済みかを確認する。
【０１３５】
蓄積済みの場合は、ステップ６０４に進む。蓄積されていない場合は、ステップ６０５に進む。
【０１３６】
本実施例では、図９に記載のセグメンテーションメタデータ４０７、４１０、４１２を解釈し、４１０に記載の「９月２日  チームＢ戦  第２打席目  三振」の映像リソースが蓄積されていないことがステップ６０３では判別済みとなる。
【０１３７】
ステップ６０６では、前記ステップ６０２で読み出されたフラグＯＦＦのセグメンテーションメタデータのうち、時間情報に記載されている映像リソースが、蓄積済みかを確認する。
【０１３８】
蓄積済みの場合は、ステップ６０４に進む。蓄積されていない場合は、ステップ６０８に進む。
【０１３９】
本実施例では、図９に記載のセグメンテーションメタデータ４０８、４０９、４１１、４１３を解釈し、４０９に記載の「９月２日  チームＢ戦  第１打席  ヒット」の映像リソースが蓄積されていないことが、ステップ６０６で判別済みとなる。
【０１４０】
ステップ６０４では、「Ａ選手の打席（ヒット）」の再生リストを作成するが、全セグメンテーションメタデータにおける映像リソースが蓄積済である場合は、Ａ選手のヒット、２塁打、ホームランのセグメンテーションメタデータを繋げ、再生順リストに追加すればよいが、本実施例では、４０９の映像リソースが蓄積されておらず、且つダイジェストスキップフラグがＯＦＦであるため、「Ａ選手の打席（ヒット）」の再生リストの作成は行われない。
【０１４１】
そのため４３０の画面上では、ユーザに対して「Ａ選手の打席（ヒット）」のダイジェスト映像は視聴できないことを示すために、ボタン４３２を網掛け表示とする。なお、再生順リストが生成されない場合は、非表示にしてもよいし、ユーザに対して再生できない内容のメッセージを表示させてもよい。
【０１４２】
次に４３３の「Ａ選手の打席（ホームラン）」の再生順リストを作成するまでの手順を示す。なお、図９のセグメンテーションメタデータ４０９、４１０に記載されている映像リソースが蓄積されていないものとしている。
【０１４３】
ステップ６０２では、受信再生装置は、各セグメンテーションメタデータのダイジェストスキップフラグを読み出し、フラグがＯＮの場合は、ステップ６０３に進む。またフラグがＯＦＦの場合は、ステップ６０６に進む。
【０１４４】
ステップ６０３では、前記ステップ６０２にて読み出されたフラグＯＮのセグメンテーションメタデータのうち、時間情報に記載されている映像リソースが、蓄積済みかを確認する。
【０１４５】
蓄積済みの場合は、ステップ６０４に進む。蓄積されていない場合は、ステップ６０５に進む。
【０１４６】
ステップ６０６では、前記ステップ６０２で読み出されたフラグＯＦＦのセグメンテーションメタデータのうち、時間情報に記載されている映像リソースが、蓄積済みかを確認する。
【０１４７】
蓄積済みの場合は、ステップ６０４に進む。蓄積されていない場合は、ステップ６０８に進む。
【０１４８】
ステップ６０５は、全てのセグメンテーションメタデータを読み出したかを確認するステップであり、まだ読み出していないセグメンテーションメタデータが存在した場合は、ステップ６０１に戻り、再度ステップ６０１から上述の一連の処理を実施する。
【０１４９】
全てのセグメンテーションメタデータを読み出した場合は、表示メニューに作成した再生順リストに基づいたダイジェスト映像の項目を表示する。
【０１５０】
本実施例において、前記ステップ６０６の結果により、前記４０８、４１３の映像リソースは、蓄積済であることから、前記ステップ６０２でダイジェストスキップフラグがＯＮのセグメンテーションメタデータに追加して、Ａ選手の打席のダイジェスト再生順リストを作成済である。
【０１５１】
ステップ６０７で、「Ａ選手の打席（ホームラン）」のダイジェスト映像へのリンク先のボタン４３３をダイジェスト一覧画面４３０に表示する。再生リストを４０８に示す。
【０１５２】
ステップ６０９では、ユーザが視聴したいダイジェスト映像へのリンクを選択し、４３３の「Ａ選手の打席（ホームラン）」ボタンを選択すると、前記ダイジェスト再生リスト４１６に基づき、映像が再生される。
（実施の形態４）
本実施例では、ダイジェストスキップフラグを含むメタデータが、打席毎に纏めて配信される場合の実施例を説明する。
【０１５３】
Ａ選手の打席メタデータ、Ａ選手の打席（ヒット）メタデータ、Ａ選手の打席メタデータ（ホームラン）のような、Ａ選手の打席結果に基づいたセグメントグループのメタデータでダイジェスト再生を実施する場合である。
【０１５４】
野球コンテンツが３試合分あり、チームＡのＡ選手の打席結果別にメタデータを用意して、ダイジェスト映像を生成することも可能である。「ヒット」「ホームラン」「三振」でダイジェストスキップフラグを記載したメタデータを用意するダイジェスト再生方法が実現可能である。
【０１５５】
以下、本実施例の実施の形態を、図面を参照しながら説明する。
本実施例の説明では、配信されるコンテンツに関連するメタデータは、既に蓄積されているものとする。
【０１５６】
なお、メタデータが蓄積されていない場合においても、必要なメタデータを通信ネットワーク経由にて、別途取得してもよい。
【０１５７】
また必要なメタデータは放送経由で別途蓄積してもよい。
４０３、４０４、４０５は、野球コンテンツを示している。前記野球コンテンツは、チームＡとチームＢが対戦する内容であり、受信機には、既に９月１日から９月３日までの３日分の野球コンテンツが蓄積されている。
【０１５８】
図１２（ａ）、図１３（ａ）及び（ｂ）は、セグメントメタデータの例である。
４５１は、前記野球コンテンツ内のＡ選手の全打席に関するメタデータを示している。
【０１５９】
４５３は、前記野球コンテンツ内のＡ選手のヒットに関するメタデータを示している。
４５５は、前記野球コンテンツ内のＡ選手のホームランに関するメタデータを示している。
【０１６０】
前記打席メタデータ４５１、４５３、４５５には、Ａ選手の打席の再生時刻を表す相対時間と、ダイジェストスキップフラグ、打席の結果が纏めて記載されている。
【０１６１】
なお、本実施例では、図５の４０４の野球コンテンツ内の相対時間Ｔ５―Ｔ８の映像リソースが蓄積されていない状態であるものとする。
【０１６２】
図１４は、受信再生装置の構成図である。図１４の受信再生装置は、ユーザからのダイジェスト再生要求を受け付けた場合に、まず、ステップ６０１で、ダイジェスト再生で必要なメタデータを読み出す。
【０１６３】
前記ステップ６０１で読み出されるセグメンテーションメタデータは図４５１、４５３、４５５が対象となる。
【０１６４】
前記４５１、４５３、４５５で示されるセグメンテーションメタデータは、コンテンツ内のどの部分を再生するかを識別する識別子と、各セグメントの開始時刻と終了時刻を示す時間情報（相対情報）と、蓄積状態に応じてダイジェスト再生するか否かを決定するための情報であるダイジェストスキップフラグと、Ａ選手の各打席の結果が記載されている。
【０１６５】
ステップ６０２では、受信再生装置は、各セグメンテーションメタデータのダイジェストスキップフラグを読み出し、フラグがＯＮの場合は、ステップ６０３に進む。またフラグがＯＦＦの場合は、ステップ６０６に進む。
【０１６６】
本実施例では、打席メタデータ４５１は、ダイジェストスキップフラグがＯＮであるため、ステップ６０３へ進み、打席メタデータ４５３、４５５は、ダイジェストスキップフラグがＯＦＦであるため、ステップ６０６へ進む。
【０１６７】
ステップ６０３では、前記ステップ６０２にて読み出されたフラグＯＮのセグメンテーションメタデータのうち、時間情報に記載されている映像リソースが、蓄積済みかを確認する。
【０１６８】
なお、本実施例におけるＡ選手の打席メタデータは、全セグメントにおいて、すべてダイジェストスキップフラグがＯＮであるため、ステップ６０４のみに進むことになる。
【０１６９】
前記ステップ６０３において蓄積済みと判定された場合は、ステップ６０４に進む。また前記ステップ６０４にて蓄積されていないと判定された場合は、ステップ６０５に進む。本実施例では、打席メタデータ４５１を解釈し、まず時間情報Ｔ１−Ｔ２の映像リソースが蓄積されていることを判定し、ステップ６０４に進み、当該時刻のセグメンテーションメタデータを再生順リストに追加する。
【０１７０】
ステップ６０５で、まだ時刻情報Ｔ３以降のセグメンテーションメタデータを読み出していないので、ステップ６０１に戻り、同様に映像リソースが蓄積されているかを判定するステップを踏む。
【０１７１】
本実施例では、時間情報Ｔ５−Ｔ６並びに時間情報Ｔ７−Ｔ８のセグメントの読み出しに関しては、該当映像リソースが未蓄積であるため、当該セグメントを再生順リストに追加せずに、ステップ６０５に進む。
【０１７２】
前記ステップ６０５で４５１のＡ選手の全打席メタデータを全て読み出した後、４５３、４５５のＡ選手の打席メタデータを順次読み出していく。
【０１７３】
４５３のＡ選手打席メタデータ（ヒット）の場合、ステップ６０２でダイジェストスキップフラグがＯＦＦであることから、ステップ６０６に進む。なお、４５５のＡ選手の打席メタデータ（ホームラン）を読み出していく場合も同様である。
【０１７４】
ステップ６０６にて、４５３のセグメンテーションメタデータを読み出した際に、時間情報Ｔ５−Ｔ６の映像リソースが未蓄積であるため、ステップ６０８にすすみ、Ａ選手のヒットの再生順リストは生成されない。
【０１７５】
画面提示例を４３０に示す。本来ならば、４３０の４３２には、ヒットのダイジェスト映像へのリンク先であるボタンが提示されるべきであるが、本実施例にて、Ａ選手の打席（ヒット）の再生順リストが生成されていないため、網掛け表示にしている。なお、再生リストが作成されない場合は、非表示にしてもよいし、ユーザに対して再生できない内容のメッセージを表示させてもよい。
【０１７６】
一方、４５５のＡ選手打席メタデータ（ホームラン）の場合、ステップ６０１にて、４５５のセグメンテーションメタデータを読み出した際に、映像リソースが蓄積済みであるため、ステップ６０４にすすみ、Ａ選手のホームランの再生順リストを作成し、ステップ６０５にて全セグメンテーションメタデータを読み出したかをチェックして、ダイジェスト一覧画面を表示する。
【０１７７】
画面提示例を４３０に示す。Ａ選手のホームランのダイジェスト映像へのリンク先であるボタンが４３３に提示される。
（実施の形態５）
前記実施例１、２ではセグメントグループ毎にダイジェストスキップフラグを用いた実施例を説明しているが、各セグメント毎にダイジェストスキップフラグを記述してもよい。図１７は、各セグメントにダイジェストスキップフラグを追加したメタデータ例である。
【０１７８】
図１５及び図１６は、セグメントグループにダイジェストスキップフラグを追加したメタデータ例である。なお、ダイジェストスキップフラグに関して、メタデータの記述例としては、図１５のように、セグメントグループタイプを示すＸＭＬ文書に、＜ｅｎｕｍｅｒａｔｉｏｎ  ｖａｌｕｅ＝"ｈｉｇｈｌｉｇｈｔｓ／ｓｋｉｐＯＫ"／＞  のように記載しても良い。
【０１７９】
なお、ダイジェストスキップフラグに関して、メタデータの記述例としては、図１６のように、セグメントグループタイプを示すＸＭＬ文書に、＜ＤｉｇｅｓｔＳｋｉｐＦｌａｇ＝"ＯＮ"／＞として記載しても良い。
【０１８０】
なお、ダイジェストスキップフラグに関して、メタデータの記述例としては、図１６のように、各セグメント情報を示すＸＭＬ文書に、＜ＳｅｇｍｅｎｔＳｋｉｐ＞タグとして記載しても良い。
【０１８１】
また、蓄積予約が重複している場合に、予約候補のコンテンツを含むダイジェストに関して、ダイジェストスキップフラグ判定部の結果に従い、スキップ不可のコンテンツの予約を優先することを可能にする。
【０１８２】
また、ダイジェストを構成するリソースは、最低限必要な映像部分が蓄積されているか、かつ視聴可能か（購入済など）どうかで判定することも可能である。
【０１８３】
また、各シーンのセグメントメタにフラグを付与し、ダイジェストスキップフラグがＯＦＦのコンテンツ及びシーンが全て蓄積され、且つ、視聴可能なダイジェストのみ、一覧への表示およびダイジェスト再生を可能にする。
【産業上の利用可能性】
【０１８４】
本発明にかかる配信装置及び受信装置は、ネットワークを用いたコンテンツ配信サービスにおける、ダイジェスト視聴サービス等において、ユーザにより拡張的な形態でのダイジェスト映像を提供することができる。
【０１８５】
サーバ型放送や蓄積型放送、ＶＯＤ（Ｖｉｄｅｏ  ＯＮ  Ｄｅｍａｎｄ）サービス等を受信する受信再生装置として有用である。
【０１８６】
また、上記サービスを携帯電話、ＰＤＡ、カーナビゲーションシステム等の移動体端末で行う際にも応用できる。
【図面の簡単な説明】
【０１８７】
【図１】本発明の全体構成図である。
【図２】（ａ）及び（ｂ）は、セグメントメタデータの例である。
【図３】（ａ）及び（ｂ）は、蓄積済コンテンツの状態図とダイジェスト映像の例である。
【図４】（ａ）及び（ｂ）は、未蓄積部分を含むコンテンツの状態図とダイジェスト映像の例である。
【図５】（ａ）、（ｂ）及び（ｃ）は、蓄積済の野球コンテンツの構成図である。
【図６】（ａ）及び（ｂ）は、セグメントメタデータの例である。
【図７】（ａ）及び（ｂ）は、ダイジェスト映像再生リストの画面例である。
【図８】ダイジェストスキップフラグ判定処理のシーケンス図である。
【図９】（ａ）〜（ｇ）は、セグメントメタデータの例である。
【図１０】セグメントメタデータの例である。
【図１１】（ａ）、（ｂ）及び（ｃ）は、セグメントメタデータの例である。
【図１２】（ａ）及び（ｂ）は、セグメントメタデータの例である。
【図１３】（ａ）、（ｂ）、（ｃ）及び（ｄ）は、全体構成図である。
【図１４】受信再生装置の構成図である。
【図１５】セグメントグループにダイジェストスキップフラグを追加したメタデータ例である。
【図１６】セグメントグループにダイジェストスキップフラグを追加したメタデータ例である。
【図１７】各セグメントにダイジェストスキップフラグを追加したメタデータ例である。
【符号の説明】
【０１８８】
１０１  送信装置
１０２  制作装置
１０３  メタデータ制作装置３
１０４  受信再生装置
２０１  セグメントリスト
２０２  セグメントグループリスト
３０１  蓄積済コンテンツ
３０２  ダイジェスト映像の例
４０１  未蓄積部分を含むコンテンツ
４０２  ダイジェスト映像の例
４０３  蓄積済コンテンツ
４０４  蓄積済コンテンツ
４０５  蓄積済コンテンツ
４２０  画面例
４３０  画面例
４６１  セグメントリスト
４６２  セグメントグループリスト
５０１  データ受信部
５０２  蓄積部
５０３  ダイジェストスキップフラグ判定部
５０４  ダイジェスト部分蓄積状態判定部
５０５  ダイジェスト提示部
５０６  再生リスト作成部
５０７  メタデータ処理部
５０８  データ生成部
５１０  予約優先度判定部
【図１】
2006203272.tif 000003
【図２】
2006203272.tif 000004
【図３】
2006203272.tif 000005
【図４】
2006203272.tif 000006
【図５】
2006203272.tif 000007
【図６】
2006203272.tif 000008
【図７】
2006203272.tif 000009
【図８】
2006203272.tif 000010
【図９】
2006203272.tif 000011
【図１０】
2006203272.tif 000012
【図１１】
2006203272.tif 000013
【図１２】
2006203272.tif 000014
【図１３】
2006203272.tif 000015
【図１４】
2006203272.tif 000016
【図１５】
2006203272.tif 000017
【図１６】
2006203272.tif 000018
【図１７】
2006203272.tif 000019